(57)【要約】【課題】発酵処理物を熟成処理することによって、その熟成処理した熟成処理場の土質を植物育成用に適したものとする有機廃棄物処理支援システム等の提供を目的とする。【解決手段】本システムは、制御通信部２を有する発酵処理装置１００と、発酵処理装置１００の制御通信部２と通信可能なサーバコンピュータ１とを備えている。サーバコンピュータ１は、発酵処理装置１００で処理した発酵処理物に含まれる肥料成分の量のデータを受信すると、そのデータから肥料成分評価を生成し、肥料成分評価と、サーバコンピュータ１の有する熟成処理場データベース１１ｂとに基いて、発酵処理物に適合する熟成処理場を抽出して発酵処理装置１００に送信する。【選択図】図１
2004305932.tif 000002
【特許請求の範囲】
【請求項１】
端末装置と、端末装置と通信可能に接続され有機廃棄物の処理の支援を行う有機廃棄物処理支援装置とを備えた有機廃棄物処理支援システムにおいて、
有機廃棄物処理支援装置は、有機廃棄物を発酵処理した発酵処理物を熟成処理する熟成処理場の土質に関する土質データを、熟成処理場と関連付けて記録した熟成処理場データベースを備え、
端末装置は、発酵処理した発酵処理物をどの熟成処理場で熟成処理するかについての問い合わせ情報であって、その発酵処理物に含まれる肥料成分の量についての肥料成分データを実質的に含む問い合わせ情報を送信し、
問い合わせ情報を受信した有機廃棄物処理支援装置は、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出し、その抽出した熟成処理場のデータを問い合わせ情報に対する回答情報として端末装置に送信することを特徴とする有機廃棄物処理支援システム。
【請求項２】
前記有機廃棄物処理支援システムは、有機廃棄物を発酵処理する発酵処理装置を備え、
この発酵処理装置は、有機廃棄物を収納し好気性微生物群によって発酵処理する発酵処理槽と、発酵処理槽での有機廃棄物の発酵状態を制御し発酵処理槽と分離可能な装置本体部とを備えていることを特徴とする有機廃棄物処理支援システム。
【請求項３】
有機廃棄物の処理の支援を行う有機廃棄物処理支援装置であって、
有機廃棄物処理支援装置は、有機廃棄物を発酵処理した発酵処理物を熟成処理する熟成処理場の土質に関する土質データを、熟成処理場と関連付けて記録した熟成処理場データベースを備え、
発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出することを特徴とする有機廃棄物処理支援装置。
【請求項４】
有機廃棄物を発酵処理した発酵処理物を熟成処理する熟成処理場の土質に関する土質データを、熟成処理場と関連付けて記録した熟成処理場データベースを備えたコンピュータを、有機廃棄物の処理の支援を行う有機廃棄物処理支援装置として機能させるプログラムであって、
コンピュータに、発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とするプログラム。
【請求項５】
有機廃棄物を発酵処理した発酵処理物を熟成処理する熟成処理場の土質に関する土質データを、熟成処理場と関連付けて記録した熟成処理場データベースを備えたコンピュータを、有機廃棄物の処理の支援を行う有機廃棄物処理支援装置として機能させるプログラムを記録した記録媒体であって、
コンピュータに、発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とするプログラムを記録した記録媒体。
【請求項６】
請求項１〜５の何れかに記載の有機廃棄物処理支援システム、有機廃棄物処理支援装置、プログラム、又は、プログラムを記録した記録媒体において、
前記肥料成分データは、少なくとも発酵処理物に含まれる窒素量のデータを含むものであることを特徴とするもの。
【請求項７】
請求項１〜６の何れかに記載の有機廃棄物処理支援システム、有機廃棄物処理支援装置、プログラム、又は、プログラムを記録した記録媒体において、
前記熟成処理場データベースは、熟成処理場の土に含まれる肥料成分の量に応じて定めた土質評価を記録し、
前記有機廃棄物処理支援装置は、発酵処理物に含まれる肥料成分の量についての肥料成分データに応じて定めた肥料成分評価を、肥料成分データと関連付けて記録した肥料成分評価データベースと、肥料成分評価と土質評価とを対応付けて記録した評価対応データベースとを備え、
受信した問い合わせ情報に実質的に含まれた肥料成分データと、肥料成分評価データベースとに基いて、その発酵処理物に対する肥料成分評価を生成するとともに、その生成した肥料成分評価に対応する土質評価を評価対応データベースから検出し、検出した土質評価に対応する熟成処理場を熟成処理場データベースから抽出することを特徴とするもの。
【請求項８】
請求項１〜７の何れかに記載の有機廃棄物処理支援システム、有機廃棄物処理支援装置、プログラム、又は、プログラムを記録した記録媒体において、
前記熟成処理場は、閉鎖ゴルフ場であることを特徴とするもの。
【請求項９】
請求項１〜８の何れかに記載の有機廃棄物処理支援システム、有機廃棄物処理支援装置、プログラム、又は、プログラムを記録した記録媒体において、
前記熟成処理場データベースは、各熟成処理場が発酵処理物を受け入れるのに適した受け入れ適合時期データを、熟成処理場と関連付けて記録し、
問い合わせ情報を受信した有機廃棄物処理支援装置は、肥料成分データと熟成処理場データベースに記録した熟成処理場の土質データとに基いて熟成処理場データベースから抽出した熟成処理場であって、問い合わせ情報を受信した時期に該当する受け入れ適合時期と対応する熟成処理場を熟成処理場データベースから抽出するもの。
【請求項１０】
有機廃棄物の処理の支援を行う有機廃棄物処理支援方法であって、
有機廃棄物を発酵処理した発酵処理物を熟成処理する熟成処理場の土質に関する土質データを、熟成処理場と関連付けて記録した熟成処理場データベースを備え有機廃棄物処理支援装置として機能させるコンピュータを準備し、
コンピュータに、発酵処理した発酵処理物に含まれる肥料成分の量についての肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とする有機廃棄物処理支援方法。
【発明の詳細な説明】
【０００１】
【発明の属する技術分野】
この発明は、生ゴミ、家畜排せつ物等の有機廃棄物の処理の支援を行う有機廃棄物処理支援システム等に関する。
【０００２】
【従来の技術】
今日、家庭や工場等から出る生ゴミ、家畜排せつ物等の有機廃棄物の量が多くなり、その処理が問題になっている。そこで、従来から、発酵処理装置を用いて有機廃棄物の処理を行っている場合も多い。発酵処理装置を用いれば、投入した生ゴミ等の有機廃棄物を好気性微生物群によって発酵処理でき、全体の量を減少させることができる。又、発酵処理した発酵処理物を更に水分調整などを行って養生する熟成処理（完熟処理）を施すことによって残存する未分解の有機物を完全に分解させることにより、堆肥にでき、家庭菜園等に使用できる。これにより、家庭や工場等で生ゴミ等の有機廃棄物を廃棄せずにリサイクルできる。
【０００３】
しかし、堆肥の不要な人、或いは堆肥は欲しいが熟成処理する場所が無いといった人等にとっては、発酵処理した発酵処理物を廃棄処分する必要がある。従って、発酵処理装置の利用促進が図られたとしても、廃棄処分される発酵処理物を熟成処理する専用の熟成処理場を確保しなければ有機廃棄物をリサイクルできず、そのような専用の熟成処理場の確保が困難である。
【０００４】
一方、例えば発酵処理装置によって発酵処理した発酵処理物を回収し、回収した発酵処理物を熟成処理して堆肥とし、その堆肥を需要家に提供するようにした生ゴミリサイクル管理システムも提案されている（例えば、特許文献１参照）。
【０００５】
【特許文献１】
特開２００１−３２１７６０号公報
【０００６】
しかしながら、この場合においても、回収した発酵処理物が多量になってくると熟成処理する熟成処理場を確保するのが困難になる。又、発酵処理物を熟成処理して得られた堆肥の量が需要家の要求する量を上回ってくるような場合には、残った堆肥を保管しておかなければならず、保管場所が必要となるとともに、堆肥を有効利用できないという問題点がある。
【０００７】
【発明が解決しようとする課題】
本願発明は、以上のような実情に鑑みて提案されたもので、発酵処理物を熟成処理することによって、その熟成処理した熟成処理場の土質を植物育成用に適した植物育成用地とする有機廃棄物処理支援システム等の提供を第１の目的とする。
【０００８】
本願発明は、閉鎖ゴルフ場で発酵処理物を熟成処理して堆肥とし、その堆肥によって閉鎖ゴルフ場を植物の育成に適した花園等の植物育成用地とする有機廃棄物処理支援システム等の提供を第２の目的とする。
【０００９】
【課題を解決するための手段及び発明の作用効果】
本願第１発明は、端末装置と、端末装置と通信可能に接続され有機廃棄物の処理の支援を行う有機廃棄物処理支援装置とを備えた有機廃棄物処理支援システムにおいて、有機廃棄物処理支援装置は、有機廃棄物を発酵処理した発酵処理物を熟成処理する熟成処理場の土質に関する土質データを、熟成処理場と関連付けて記録した熟成処理場データベースを備え、端末装置は、発酵処理した発酵処理物をどの熟成処理場で熟成処理するかについての問い合わせ情報であって、その発酵処理物に含まれる肥料成分の量についての肥料成分データを実質的に含む問い合わせ情報を送信し、問い合わせ情報を受信した有機廃棄物処理支援装置は、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出し、その抽出した熟成処理場のデータを問い合わせ情報に対する回答情報として端末装置に送信することを特徴とする有機廃棄物処理支援システムである。
【００１０】
本願第２発明は、前記有機廃棄物処理支援システムは、有機廃棄物を発酵処理する発酵処理装置を備え、この発酵処理装置は、有機廃棄物を収納し好気性微生物群によって発酵処理する発酵処理槽と、発酵処理槽での有機廃棄物の発酵状態を制御し発酵処理槽と分離可能な装置本体部とを備えていることを特徴とする有機廃棄物処理支援システムである。
【００１１】
本願第３発明は、有機廃棄物の処理の支援を行う有機廃棄物処理支援装置であって、有機廃棄物処理支援装置は、有機廃棄物を発酵処理した発酵処理物を熟成処理する熟成処理場の土質に関する土質データを、熟成処理場と関連付けて記録した熟成処理場データベースを備え、発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出することを特徴とする有機廃棄物処理支援装置である。
【００１２】
本願第４発明は、有機廃棄物を発酵処理した発酵処理物を熟成処理する熟成処理場の土質に関する土質データを、熟成処理場と関連付けて記録した熟成処理場データベースを備えたコンピュータを、有機廃棄物の処理の支援を行う有機廃棄物処理支援装置として機能させるプログラムであって、コンピュータに、発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とするプログラムである。
【００１３】
本願第５発明は、有機廃棄物を発酵処理した発酵処理物を熟成処理する熟成処理場の土質に関する土質データを、熟成処理場と関連付けて記録した熟成処理場データベースを備えたコンピュータを、有機廃棄物の処理の支援を行う有機廃棄物処理支援装置として機能させるプログラムを記録した記録媒体であって、コンピュータに、発酵処理した発酵処理物をどの熟成処理場で熟成処理するかについての問い合わせ情報であって、その発酵処理物に含まれる肥料成分の量についての肥料成分データを実質的に含む問い合わせ情報を受信すると、肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とするプログラムを記録した記録媒体である。
【００１４】
本願第６発明は、本願第１発明から第５発明の何れかに係る有機廃棄物処理支援システム、有機廃棄物処理支援装置、プログラム、又は、プログラムを記録した記録媒体において、前記肥料成分データは、少なくとも発酵処理物に含まれる窒素量のデータを含むものであることを特徴とするものである。
【００１５】
本願第７発明は、本願第１発明から第６発明の何れかに係る有機廃棄物処理支援システム、有機廃棄物処理支援装置、プログラム、又は、プログラムを記録した記録媒体において、前記熟成処理場データベースは、熟成処理場の土に含まれる肥料成分の量に応じて定めた土質評価を記録し、前記有機廃棄物処理支援装置は、発酵処理物に含まれる肥料成分の量についての肥料成分データに応じて定めた肥料成分評価を、肥料成分データと関連付けて記録した肥料成分評価データベースと、肥料成分評価と土質評価とを対応付けて記録した評価対応データベースとを備え、受信した問い合わせ情報に実質的に含まれた肥料成分データと、肥料成分評価データベースとに基いて、その発酵処理物に対する肥料成分評価を生成するとともに、その生成した肥料成分評価に対応する土質評価を評価対応データベースから検出し、検出した土質評価に対応する熟成処理場を熟成処理場データベースから抽出することを特徴とするものである。
【００１６】
本願第８発明は、本願第１発明から第７発明の何れかに係る有機廃棄物処理支援システム、有機廃棄物処理支援装置、プログラム、又は、プログラムを記録した記録媒体において、前記熟成処理場は、閉鎖ゴルフ場であることを特徴とするものである。
【００１７】
ここに、「閉鎖ゴルフ場」とは、経営が破綻等し、現在閉鎖されてそのまま放置されているゴルフ場をいう。
【００１８】
本願第９発明は、本願第１発明から第８明の何れかに係る有機廃棄物処理支援システム、有機廃棄物処理支援装置、プログラム、又は、プログラムを記録した記録媒体において、前記熟成処理場データベースは、各熟成処理場が発酵処理物を受け入れるのに適した受け入れ適合時期データを、熟成処理場と関連付けて記録し、問い合わせ情報を受信した有機廃棄物処理支援装置は、肥料成分データと熟成処理場データベースに記録した熟成処理場の土質データとに基いて熟成処理場データベースから抽出した熟成処理場であって、問い合わせ情報を受信した時期に対応する受け入れ適合時期を検出し、その検出した受け入れ適合時期に該当する受け入れ適合時期と対応する熟成処理場を熟成処理場データベースから抽出するものである。
【００１９】
本願第１０は、有機廃棄物の処理の支援を行う有機廃棄物処理支援方法であって、有機廃棄物を発酵処理した発酵処理物を熟成処理する熟成処理場の土質に関する土質データを、熟成処理場と関連付けて記録した熟成処理場データベースを備え有機廃棄物処理支援装置として機能させるコンピュータを準備し、コンピュータに、発酵処理した発酵処理物に含まれる肥料成分の量についての肥料成分データと熟成処理場データベースに記録した熟成処理場の土質データとに基いて、発酵処理物に含まれる肥料成分によって熟成処理場の土質を植物育成用として適したものになるように、当該発酵処理物に適合した熟成処理場を熟成処理場データベースから抽出する処理を行わせることを特徴とする有機廃棄物処理支援方法である。
【００２０】
本願第１発明、第３発明、第４発明、第５発明、第１０発明においては、肥料成分データと熟成処理場データベースに記録した熟成処理場の土質データとに基いて、発酵処理物に含まれる前記肥料成分が熟成処理場の土に付加されることによって熟成処理場の土質を植物育成用として適したものにできるように、当該発酵処理物に適合した熟成処理場を熟成処理場データベースから抽出する。こうすることにより、熟成処理場が植物の育成に必要な肥料成分を含んでいないような場合でも、発酵処理物に含まれる肥料成分によって熟成処理場を植物の育成に適した肥料成分を含むものにできる。これにより、熟成処理場を、発酵処理物を熟成処理して堆肥にした状態で植物育成用地にでき、例えば花園として使用できる。従って、発酵処理物を熟成処理して堆肥にできると同時に、熟成処理場を植物の育成に適した植物育成用地にできる。よって、従来のように発酵処理物を熟成処理する専用の熟成処理場を不要にできるとともに、堆肥が余るようなことなく有効利用できる。
【００２１】
第２発明においては、有機廃棄物処理支援システムに、有機廃棄物を発酵処理する発酵処理装置を備え、この発酵処理装置は、有機廃棄物を収納し好気性微生物群によって発酵処理する発酵処理槽と、発酵処理槽での有機廃棄物の発酵状態を制御し発酵処理槽と分離可能な装置本体部とを備えたものとする。こうすることにより、有機廃棄物を発酵処理した発酵処理物を、有機廃棄物処理支援装置によって抽出された熟成処理場への搬送に際し、発酵処理物を収納した発酵処理槽を装置本体部から分離でき、発酵処理槽をそのままトラック等に積んで搬送できる。従って、発酵処理槽から発酵処理物を取り出してトラック等に積むようなことを防止でき、搬送作業を簡単且つ短時間で行い得るとともに、発酵処理物の臭いを周囲に発散させるようなことも防止できる。
【００２２】
第６発明においては、肥料成分データは、少なくとも発酵処理物に含まれる窒素量のデータを含むものとする。窒素、燐酸、カリウムは、花等の植物の肥料の３要素といわれ、又、それらの内で、窒素成分は、花等の植物の葉、茎の成長に不可欠なものであり、花等の植物の育成に最も重要な要素であると考えられる。従って、肥料成分データに、発酵処理物に含まれる窒素量のデータを含ませておくようにすれば、熟成処理場の土質を発酵処理物に含まれる窒素によって植物育成用として適したものにできる。
【００２３】
第７発明においては、肥料成分データを受信すると、そのデータと肥料成分評価データベースとに基いて、例えば窒素成分が多く含まれる「多」という肥料成分評価を生成する。そして、その肥料成分評価に対応する土質評価として、例えば「少」の土質評価を評価対応データベースから検出する。そして、その「少」の土質評価に対応する熟成処理場を熟成処理場データベースから抽出する。こうすることにより、例えば窒素成分の多く含まれる発酵処理物に対して窒素成分の少ない発酵処理場を抽出し、或いは、窒素成分の含有量の少ない発酵処理物に対して窒素成分の多い発酵処理場を抽出できる。これにより、確実に、熟成処理場の土質を発酵処理物に含まれる肥料成分によって植物育成用として適したものにできる。
【００２４】
又、例えば窒素成分の多く含まれる発酵処理物を、窒素成分の多い発酵処理場で熟成処理して堆肥にすると、その発酵処理場の土は、窒素成分が多く含まれすぎて、花を植えると、葉っぱだけが大きくなって花がつかない、いわゆる窒素ぼけになり、花園としての使用に適さなくなる恐れがある。しかし、この第７発明のように、生成した肥料成分評価と熟成処理場データベースに記録された土質評価とに基いて、当該発酵処理物に適合した熟成処理場を熟成処理場データベースから抽出することにより、例えば窒素成分の多く含まれる発酵処理物に対して、窒素成分の多い発酵処理場を抽出するようなことを防止することも可能となり、熟成処理場の土質を花育成用に適したものにできる。
【００２５】
第８発明においては、熟成処理場は、閉鎖ゴルフ場とする。こうすることにより、昨今、種々の事情から多く発生している閉鎖ゴルフ場を有効利用することができるとともに、発酵処理物を熟成処理する熟成処理場を確保できる。又、その際、閉鎖ゴルフ場が植物の育成に必要な肥料成分を含んでいないような場合でも、発酵処理物を熟成処理した堆肥によって植物の育成に適した肥料成分を含むものにできる。これにより、閉鎖ゴルフ場を、発酵処理物を熟成処理して堆肥にした状態で、花園等として使用できる。
【００２６】
本願第９発明においては、まず、問い合わせ情報に含まれる肥料成分データと、熟成処理場データベースの土質データとに基いて発酵処理物に肥料成分的に適合した熟成処理場を抽出する。又、その抽出した熟成処理場の内で、問い合わせ情報を受信した時期に該当する受け入れ適合時期に対応するものを発酵処理場データベースから抽出する。その際、受け入れ適合時期を、例えば各熟成処理場で特定の花を開花させる予定の開花時期を各熟成処理場ごとに設定し、その設定した開花時期から、発酵処理物の熟成期間及び種蒔き（球根又は苗の植付け）から開花までの育成期間を差し引いて逆算した時期としておけば、問い合わせ情報を受信した時期に、予め設定した特定の花の開花時期に適合した熟成処理場を抽出できる。これにより、閉鎖ゴルフ場を、花の開花時期に合わせて花育成用地にでき、効率的に利用することも可能になる。
【００２７】
【発明の実施の形態】
図１は、本願発明の有機廃棄物処理支援装置を有する有機廃棄物処理支援システムの一実施の形態のブロック図である。
【００２８】
この実施形態の有機廃棄物処理支援システムは、図１に示すように、端末装置２と、端末装置２と通信網としてのインターネット１０を介して通信可能なサーバコンピュータ１とを備えている。
【００２９】
端末装置２は、表示装置２ａと、入力装置２ｂとを備えている。入力装置２ｂを用いてデータなどの入力を行い、サーバコンピュータ１からのデータは、表示装置２ａにより表示される。この実施形態では、端末装置２は、有機廃棄物を発酵処理する発酵処理装置１００に付設されている。
【００３０】
この発酵処理装置１００は、図５に示すように生ごみ等の有機廃棄物を好気性微生物群によって発酵処理する発酵処理槽１０２と、発酵処理槽１０２の内部の有機廃棄物の発酵状態を制御する装置本体部１０１と、発酵処理槽１０２で処理した発酵処理物１２０に含まれる肥料成分の量についてのデータを検出する肥料成分検出手段としての肥料成分検出センサー１０３を備えている。
【００３１】
発酵処理槽１０２は、上面に、開閉蓋１０２ｇによって開閉自在な投入口１０２ｆを備え、この投入口１０２ｆから内部に有機廃棄物を投入できるようになっている。発酵処理槽１０２内の下部には、発酵処理槽１０２内の温度を検出する温度センサー１０４が備えられている。
【００３２】
温度センサー１０４は、装置本体部１０１に設けられた循環空気制御手段としての制御回路１１３に接続されている。
【００３３】
発酵処理槽１０２内の上部には、においセンサー１１２が備えられている。このにおいセンサー１１２は、発酵処理槽１０２の上面側から内部に取り外し可能に入れられ、このにおいセンサー１１２によって、発酵処理槽１０２内のアンモニア、メチルメルカプタン及び硫化水素の各量を検出し、これらの検出量に基いて、発酵処理槽１０２内における発酵処理の進行度合いがわかるようになっている。又、このにおいセンサー１１２は、後述する装置本体部１０１の制御通信部２に接続され、制御通信部２に設けられた液晶表示部２１に、アンモニア、メチルメルカプタン及び硫化水素の各検出量を表示可能とされている。
【００３４】
装置本体部１０１は、内部に、好気性微生物が担持された微生物担体を収容した上部脱臭室１０５ａ及び下部脱臭室１０５ｂとの二つの脱臭室が設けられている。上部脱臭室１０５ａは、給気管１０６を介して発酵処理槽１０２と連通されている。下部脱臭室１０５ｂは、発酵処理槽１０２と第１排気管１０７ａ、第２排気管１０７ｂ、第３排気管１０７ｃを介して連通されている。
【００３５】
又、装置本体部１０１の内部における第１排気管１０７ａと第２排気管１０７ｂの間には脱水槽１０８が設けられ、第２排気管１０７ｂと第３排気管１０７ｃの間には送風機１０９，１０９が設けられている。又、第３排気管１０７ｃの端部には、吐出口１０７ｄが備えられている。そして、この吐出口１０７ｄは、下部脱臭室１０５ｂの下方位置に配位され、吐出口１０７ｄからでた空気を下部脱臭室１０５ｂに送りこむことができるようになっている。
【００３６】
また、この第１排気管１０７ａ及び上記給気管１０６は、夫々、着脱自在な接続部１１１ａ、１１１ｂを備えており、これらの接続部１１１ａ、１１１ｂが外されることにより、装置本体部１０１と発酵処理槽１０２とが、分離可能とされる。
【００３７】
又、装置本体部１０１には、装置本体部１０１を制御操作するとともに、サーバコンピュータ１と通信するための端末装置としての制御通信部２が備えられている。この制御通信部２は、表示装置２ａとしての液晶表示部２１と、データの入力等を行う入力装置２ｂとしてのボタン操作部２２とが備えられている。
【００３８】
肥料成分検出センサー１０３は、この実施形態では、発酵処理物に包含される窒素量（重量％）を検出する。
【００３９】
この肥料成分検出センサー１０３は、発酵処理槽１０２の下面から内部に取り外し可能に入れられ、この肥料成分検出センサー１０３によって発酵処理槽１０２内の発酵処理物に含まれる窒素の量（重量％）を検出できるようになっている。又、肥料成分検出センサー１０３は、装置本体部１０１の制御通信部２に接続され、制御通信部２の液晶表示部２１に、検出した肥料成分データとしての窒素量データが表示可能とされている。
【００４０】
このように構成された発酵処理装置１００は、投入口から有機廃棄物が投入されると、送風機１０９，１０９の作動によって、空気が、下部脱臭室１０５ｂ、上部脱臭室１０５ａ、給気管１０６を通って循環し、発酵処理槽１０２内に流れる。そして、その際、下部脱臭室１０５ｂ、上部脱臭室１０５ａ内の微生物担体に担持された好気性微生物の一部が、その循環空気によって発酵処理槽１０２内に搬送される。
【００４１】
そして、発酵処理槽１０２内に搬送された循環空気は、発酵処理槽１０２内に設けられた枝管１１０ａ・・・１１０ａから、発酵処理槽１０２内における有機廃棄物の内部にほぼ均等に噴射されて供給される。
【００４２】
有機廃棄物に搬送された好気性微生物は、有機廃棄物に着床し、循環空気の酸素を利用して有機廃棄物を好気性発酵により分解する。その際、好気性微生物を、循環空気によって継続的に供給することにより、単に空気のみを供給する場合に比し、発酵の促進をはかることができる。又、脱臭室１０５ａ、１０５ｂの微生物担体に、発酵処理槽１０２に投入されることが予測される有機廃棄物に適したいくつかの種類の好気性微生物を予め担持させておくことにより、有機廃棄物の種類に適した好気性微生物が繁殖して発酵が進み、有機廃棄物の種類を問わずに効率良く、発酵処理できる。
【００４３】
好気性発酵が進行すると、発酵熱によって発酵処理槽１０２内の温度が上昇する。そして、発酵処理槽１０２内の温度が所定の温度まで上昇すると、温度センサー１０４が、それを検知し、制御回路１１３が送風機１０９，１０９の作動を止める。これにより、発酵処理槽１０２内の温度が下がる。そして、発酵処理槽１０２内の温度が所定の温度まで下がると、温度センサー１０４が、それを検知し、制御回路１１３が再度送風機１０９，１０９を作動させる。このようにして、発酵処理槽１０２内の温度を一定にする。
【００４４】
発酵処理槽１０２内の有機廃棄物の上方側の空間に流出した循環空気は、第１排気管１０７ａに設けられた枝管１１４ａ、１１４ｂから排気される。そして、排気された循環空気は、装置本体部１０１に設けられた脱水層１０８を経て、第２排気管１０７ｂ、第２排気管１０７ｃから下部脱臭室１０５ｂ、上部脱臭室１０５ａ、給気管１０６を経て、再度、発酵処理槽１０２内に流れる。
【００４５】
以上のように、この発酵処理装置１００は、投入された有機廃棄物を収納し好気性微生物群によって発酵処理する発酵処理槽１０２と、好気性微生物が担持された微生物担体が収容された脱臭室１０５ａ、１０５ｂと、前記発酵処理槽１０２と前記脱臭室１０５ａ、１０５ｂとを連通する給気路１０６及び排気路１０７ａ、１０７ｂ、１０７ｃと、前記発酵処理槽１０２から前記脱臭室１０５ａ、１０５ｂへ前記排気路１０７ａ、１０７ｂ、１０７ｃを通じて循環空気を送風するとともに、前記脱臭室１０５ａ、１０５ｂから前記発酵処理槽１０２内の有機廃棄物への前記給気路１０６を通じて循環空気を送風することにより、循環空気を循環させる送風機１０９とを備えたものである。このようにして、循環空気の循環によって発酵処理することにより、発酵処理槽１０２内に攪拌機を設けずに済み、簡単な構成で軽量なものにできる。
【００４６】
又、この発酵処理装置１００は、前記発酵処理槽１０２の内部の温度を検出する温度検出手段１０４と、前記発酵処理槽内の温度が所定値Ｔ１以上になった場合には、前記循環空気の循環を停止し、前記発酵処理槽１０２内の温度が所定値Ｔ２以下になった場合には、前記循環空気の循環を開始する循環空気制御手段１１３とを備えたものである。
【００４７】
更に、この発酵処理装置１００の前記排気路１０７ａ、１０７ｂ、１０７ｃは、前記脱臭室１０５ｂに吐出口１０７ｄが接続された前記送風機１０９が備えられており、前期発酵処理槽１０２内の有機廃棄物の上部の循環空気を前記脱臭室１０５ｂに吸引排気するものである。
【００４８】
又、発酵処理装置１００は、発酵処理槽１０２で発酵処理した発酵処理物に含まれる肥料成分の量を検出する肥料成分検出手段を備えている。また、この肥料成分検出手段は、発酵処理物に含まれる少なくとも窒素の量を検出可能とされたものである。
【００４９】
また、この発酵処理装置１００は、前記脱臭室１０５ａ、１０５ｂ及び前記送風機１０９を収容する装置本体部１０１を備え、この装置本体部１０１と前記発酵処理槽１０２とは、分離可能とされたものである。
【００５０】
又、この発酵処理装置１００は、前記発酵処理槽１０２から排気された循環空気の脱水を行う脱水室１０８を備えたものである。
【００５１】
そして、このように構成された発酵処理装置１００は、例えば各種の食品工場、或いは一定戸数のコミュニティごとに設置されている。
【００５２】
尚、発酵処理装置１００は、上記の形態のものに限らず、適宜変更できる。例えば発酵処理槽１０２と装置本体部１０１とが分離不能に一体的に形成されているものであっても良い。
【００５３】
又、肥料成分検出手段は、発酵処理装置１００に付設されたものに限らず、例えば発酵処理装置１００とは別の肥料成分検出装置から構成し、発酵処理装置１００で発酵処理した発酵処理の一部を取り出し、その発酵処理の一部に含まれる肥料成分を肥料成分検出装置で検出するようにしても良い。
【００５４】
次に、サーバコンピュータ１について説明する。サーバコンピュータ１は、発酵処理装置データベース１１ａと、熟成処理場データベース１１ｂと、肥料成分評価データベース１１ｃと、評価対応データベース１１ｄと、受信手段１３と、肥料成分評価生成手段１４と、適合熟成処理場抽出手段１５と、送信手段１８とを備えている。
【００５５】
発酵処理装置データベース１１ａは、発酵処理装置１００に関する情報を記録している。この実施形態では、図１２に示すように、装置ＩＤ、発酵処理装置１００の設置場所、発酵処理槽１０２の容積等を、各発酵処理装置１００と関連付けて記録している。
【００５６】
熟成処理場データベース１１ｂは、熟成処理場の属性等を記録している。この実施形態では、熟成処理場として閉鎖ゴルフ場の属性等を記録している。より詳しくは、図８に示すように、ゴルフ場ＩＤ、名称、住所、土質データ等を記録している。土質データは、この実施形態では、土壌名と土質評価とから構成されている。土壌名は、例えば砂丘未熟土、多湿黒ボク土、褐色森林土、黄色土、黒泥土、泥炭土のように記録している。
【００５７】
土質評価は、この実施形態では、各ゴルフ場の土に含まれる窒素成分の量を検出し、その検出結果に応じて「多」、「普通」、「少」の三段階の窒素成分評価を記録している。具体的には、ゴルフ場の土に含まれる窒素成分の量が３重量％以上である場合には「多」の土質評価とし、その量が１重量％以上〜３重量％未満の場合には「普通」の土質評価とする。又、その量が１重量％未満の場合は「少」の土質評価としている。
【００５８】
又、熟成処理場データベース１１ｂは、発酵処理物の受け入れを許容できる受け入れ許容量を、閉鎖ゴルフ場と関連づけて記録している。
【００５９】
更に、熟成処理場データベース１１ｂは、図９に示すように発酵処理物が搬入された場合の発酵処理物搬入のデータを記録している。具体的には、発酵処理物の搬入日、搬入量、後述の搬入した発酵処理物の窒素成分評価等のデータを記録している。
【００６０】
肥料成分評価データベース１１ｃは、発酵処理物に含まれる肥料成分の量に応じて予め設定した肥料成分評価を、肥料成分の量と関連付けて記録している。この実施形態では、図１０に示すように発酵処理物に含まれる窒素の量に応じて予め設定した「多」、「中」、「少」の三段階の窒素成分評価を、窒素の量と関連付けて記録している。
【００６１】
より具体的には、発酵処理物に含まれる窒素の量が３重量％以上である場合には、窒素成分評価として「多」を、１重量％以上〜３重量％未満の場合には、窒素成分評価として「中」を、又、１重量％未満の場合は、窒素成分評価として「少」を設定し、窒素の量と関連付けて記録している。
【００６２】
評価対応データベース１１ｄは、肥料成分評価としての窒素成分評価に対して適応する土質評価を、両者を対応付けて記録している。この実施形態では図１１に示すように窒素成分評価「多」と土質評価「少」とを、窒素成分評価「中」と土質評価「普通」とを、窒素成分評価「少」と土質評価「多」とを対応付けて記録している。
【００６３】
受信手段１３は、例えば上述の窒素量データを発酵処理装置１００から受信する。
【００６４】
肥料成分評価生成手段１４は、発酵処理物に含まれる肥料成分の量についての肥料成分評価を生成する。この実施形態では、発酵処理物に含まれる窒素量についての窒素成分評価を肥料成分評価として生成する。具体的には、発酵処理装置１００から受信した発酵処理物の窒素量データと、肥料成分評価データベース１１ｃとに基いて、発酵処理物についての窒素成分評価を生成する。
【００６５】
適合熟成処理場抽出手段１５は、肥料成分評価生成手段１４によって生成した窒素成分評価と評価対応データベース１１ｄとに基いて、窒素成分評価に対応する土質評価を検出し、その検出した土質評価に対応する熟成処理場を熟成処理場データベース１１ｂから抽出する。
【００６６】
例えば窒素成分評価が「少」の場合は、評価対応データベース１１ｄから対応する土質評価として「多」を検出する。そして、土質評価が「多」に対応する熟成処理場を熟成処理場データベース１１ｂから抽出する。
【００６７】
送信手段１８は、例えば適合熟成処理場抽出手段１５によって抽出した閉鎖ゴルフ場のデータを発酵処理装置１００に送信する。
【００６８】
図２は、図１に示す有機廃棄物処理支援システムに用いられるサーバコンピュータ１、発酵処理装置１００の制御通信部２のハードウェア構成の一例を示す図面である。
【００６９】
サーバコンピュータ１は、記録装置であり本システムのプログラムを記録した記録媒体であるハードディスク５０、ハードディスク５０に記録されたプログラムを実行し制御する装置であるＣＰＵ５１、表示装置であるＣＲＴ５２、入力装置であるキーボード５４及びマウス５５、インターネット１０を介して各端末装置２と通信するための通信インターフェース５３を備えている。
【００７０】
サーバコンピュータ１のハードディスク５０には、上記プログラムの他、各データベース１１ａ、１１ｂ、１１ｃ、１１ｄを構成するデータが記録されている。すなわち、ハードディスク５０が図１の発酵処理装置データベース１１ａと熟成処理場データベース１１ｂと肥料成分評価データベース１１ｃと評価対応データベース１１ｄとに対応する。
【００７１】
また、サーバコンピュータ１のＣＰＵ５１が、図１の受信手段１３、肥料成分評価手段１４、適合熟成処理場抽出手段１５、送信手段１８に対応する。
【００７２】
図２の発酵処理装置１００の制御通信部２は、表示装置である液晶表示部２１、入力装置であるボタン操作部２２、データ等を表示するためのプログラムを記憶したメモリ２６、メモリ２６に記憶されたプログラム等を実行し制御するＣＰＵ２４、サーバコンピュータ１と通信するための通信インターフェース２５を備えている。
【００７３】
次に、本実施形態の動作について説明する。図３及び図４は、有機廃棄物処理支援システムにおける処理の流れを示すフローチャートである。
【００７４】
各家庭或いは工場等から出された生ゴミ等の有機廃棄物は、上述のようにして各場所に設置された発酵処理装置１００によって発酵処理される。
【００７５】
そして、発酵処理された発酵処理物は、回収者によって定期的（この実施形態では、１月ごとに１回）に回収され、熟成処理場としての閉鎖ゴルフ場に搬送されて熟成処理されることになるが、その回収に際し、回収者は、発酵処理物を、どの閉鎖ゴルフ場に搬送して熟成処理するかの問い合わせ情報を送信する（図３、ステップＳ２）。
【００７６】
この問い合わせ情報の送信は、この実施形態では、次のようにして行われる。まず、発酵処理装置１００の制御通信部２を操作し、液晶表示部２１に、肥料成分検出センサー１０３によって検出した窒素量データを表した図６に示すようなデータ表示画面２００を表示させる。このデータ表示画面２００には、窒素量データを表したデータ表示部２００ａとともに、装置ＩＤ入力部２００ｂ及び送信部２００ｃが設けられており、このデータ表示画面２００が問い合わせ画面を構成している。そして、装置ＩＤ入力部２００ｂに装置ＩＤを入力した後、送信部２００ｃを選択操作する。
【００７７】
尚、問い合わせ情報の送信は、窒素量データ或いは装置ＩＤを液晶表示部２１に表示して行う形態のものに限らず、液晶表示部２１に表示することなく送信させるようにしても良い。また、この実施形態のように、装置ＩＤを表示する場合、装置ＩＤ入力部２００ｂに、その都度、入力する形態のものであっても良いが、例えば一度入力した後は、自動的に表示できるようにしておいても良く、適宜変更できる。
【００７８】
これにより、発酵処理装置１００をサーバコンピュータ１にアクセスでき、発酵処理装置１００で処理した発酵処理物を、どの閉鎖ゴルフ場に搬送して熟成処理するかの問い合わせ情報を窒素量データと共に、サーバコンピュータ１に送信できる。
【００７９】
受信したサーバコンピュータ１は、まず、送信してきた発酵処理装置１００の該当する発酵処理装置データベース１１ａの発酵処理槽１０２の容積のフィールドに記録された数値を抽出する。そして、その抽出した容積を、受信してきた発酵処理装置１００の発酵処理槽１０２で発酵処理された発酵処理物の体積の量とし、その体積の量より、熟成処理場データベース１１ｂの受け入れ許容量の数値の大きい閉鎖ゴルフ場を抽出する（図３、ステップＳ３）。
【００８０】
又、サーバコンピュータ１は、受信した窒素量データと肥料成分評価データベース１１ｃとに基いて、窒素成分評価を生成する（図３、ステップＳ４）。例えば図６に示すように窒素量データとして「１．１」を受信すると、肥料成分評価データベース１１ｃに基いて、「中」の窒素成分評価を生成する。このステップＳ４が、図１の肥料成分評価生成手段１４に対応する。
【００８１】
更に、サーバコンピュータ１は、上述のようにして生成した窒素成分評価に対応する土質評価が「多」、「普通」、「少」の何れであるかを評価対応データベース１１ｄから検出する（図３、ステップＳ５）。
【００８２】
対応する土質評価が「多」であること検出すると、上記ステップＳ３で抽出した閉鎖ゴルフ場の内で、土質評価が「多」に該当する閉鎖ゴルフ場を熟成処理場データベース１１ｂから抽出する（図３、ステップＳ６）。
【００８３】
対応する土質評価が「普通」であること検出すると、上記ステップＳ３で抽出した閉鎖ゴルフ場の内で、土質評価が「普通」に該当する閉鎖ゴルフ場を熟成処理場データベース１１ｂから抽出する（図３、ステップＳ７）。
【００８４】
一方、対応する土質評価が「少」であること検出すると、上記ステップＳ３で抽出した閉鎖ゴルフ場の内で、土質評価が「少」に該当する閉鎖ゴルフ場を熟成処理場データベース１１ｂから抽出する（図３、ステップＳ８）。上記のステップＳ５からステップＳ８が、図１の適合熟成処理場抽出手段１５に対応する。
【００８５】
また、サーバコンピュータ１は、抽出した閉鎖ゴルフ場を表示した図７に示すような適合熟成処理場表示画面２０１を生成し、生成した適合熟成処理場表示画面２０１を、問い合わせ情報に対する回答情報として発酵処理装置１００に送信する（図４、ステップＳ９）。
【００８６】
発酵処理装置１００を介して適合熟成処理場表示画面２０１を受信した回収者は、適合熟成処理場表示画面２０１に設けられた確認部２０１ａを選択操作してサーバコンピュータ１に送信する（図４、ステップＳ１０）。これにより、発酵処理装置１００で処理した発酵処理物を搬送する閉鎖ゴルフ場が決まる。
【００８７】
尚、この実施形態では、上記のステップＳ９において、サーバコンピュータ１は、該当する閉鎖ゴルフ場が二以上ある場合は、二以上の閉鎖ゴルフ場を抽出して適合熟成処理場表示画面２００に表示し、発酵処理装置１００に送信する。そして、ステップＳ１０において、発酵処理装置１００を介して適合熟成処理場表示画面２００を受信した回収者は、二以上の閉鎖ゴルフ場の中から、例えば回収者の判断によって距離の最も近い閉鎖ゴルフ場を選択操作し、サーバコンピュータ１に送信する。
【００８８】
受信したサーバコンピュータ１は、該当する熟成処理場データベース１１ｂの発酵処理物の搬入日、搬入量、搬入した発酵処理物の窒素成分評価を記録するとともに、受け入れ許容量の数値を、搬入量を減算した数値に記録し直す（図４、ステップＳ１１）。
【００８９】
以上のようにして、各発酵処理装置１００によって処理された発酵処理物は、サーバコンピュータ１によって定められた閉鎖ゴルフ場に搬送されて熟成処理されるが、その搬送に際しては、発酵処理装置１００の発酵処理槽１０２を装置本体部１０１から分離でき、発酵処理槽１０２をそのままトラックに積んで搬送できる。従って、発酵処理槽１０２から発酵処理物を取り出してトラックに積むようなことを防止でき、搬送作業を簡単且つ短時間で行い得るとともに、発酵処理物の臭いを周囲に発散させるようなことも防止できる。
【００９０】
閉鎖ゴルフ場に搬送された発酵処理槽１０２の発酵処理物は、その閉鎖ゴルフ場で熟成処理されて堆肥とされる。その際、使用されていない閉鎖ゴルフ場を利用するため、多くの発酵処理物を熟成処理でき、熟成処理場を確保できる。又、この実施形態では、堆肥に処理したその閉鎖ゴルフ場を花園又は花のテーマパークとする。こうすることにより、製造した堆肥を、そのまま花の堆肥として使用できる。又、その堆肥は、閉鎖ゴルフ場で花を育成するのに適合する窒素成分を含有するため、花の育成に必要な窒素成分を含有しない閉鎖ゴルフ場を花の育成に適合した窒素成分を含有する土質にできる。
【００９１】
又、この実施形態では、このようにして閉鎖ゴルフ場で育成した花の一部が切り花とされ、上述のようにしてその閉鎖ゴルフ場に発酵処理物を搬送してきて空になった発酵処理槽１０２をトラックで持ち帰る際、切り花が共に積まれる。そして、空の発酵処理槽１０２を、発酵処理物を収納した次の発酵処理槽１０２と交換する際、発酵処理装置１００を使用している者に、いっしょに積んできた切り花を与えるようにしている。これにより、発酵処理装置１００を使用している者に喜んでもらうことができ、発酵処理装置１００の利用促進を図ることができる。
【００９２】
尚、上記実施形態では、発酵処理装置１００で発酵処理物に含まれる肥料成分の量として窒素量を検出して窒素量データを肥料成分データとしてサーバコンピュータ１に送信し、又、サーバコンピュータ１の熟成処理場データベース１１ｂの土質評価を窒素成分の量に応じて記録し、更には、肥料成分評価データベース１１ｃの肥料成分評価を、発酵処理物に含まれる窒素の量に応じて記録するようにしているが、肥料成分は、窒素成分から構成する形態のものに限らず適宜変更できる。具体的には、肥料成分として、窒素、燐酸、カリウムの内の一つ又は二つ以上のものを採用するようにしても良い。
【００９３】
又、上記実施形態では、土質評価及び肥料成分評価を三段階評価としているが、この形態のものに限らず、例えば「多」と「少」との二段階評価、或いは、四段階以上の評価にしても良く、適宜変更できる。
【００９４】
また、上記実施形態では、適合熟成処理場抽出手段１５によって、肥料成分評価としての窒素成分評価に対応する土質評価の熟成処理場を抽出するようにしているが、この形態のものに限らず、適宜変更でき、発酵処理物に含まれる肥料成分によって熟成処理場の土質を植物育成用として適したものになるように、当該発酵処理物に適合した熟成処理場を熟成処理場データベースから抽出すれば良い。
【００９５】
例えば発酵処理物に含まれる肥料成分データである窒素の量と、熟成処理場に含まれる窒素の量との加算値が予め定めた数値に最も近いものになる熟成処理場を抽出するようにしても良い。
【００９６】
又、一般的に土に含まれる窒素量が１重量％未満になると、植物が成長し難く、植物育成用の土として使用し難いが、１重量％を超えれば植物育成用の土として適用できる。又、土に含まれる窒素量が５重量％以上になると、植えた花の葉っぱだけが大きくなって花が咲かない、いわゆる窒素ぼけになる恐れが大きくなってしまう。従って、「発酵処理物に含まれる肥料成分によって熟成処理場の土質を植物育成用として適したものになるように」とは、具体的には、少なくとも発酵処理物に含まれる窒素量と熟成処理場の土に含まれる窒素量との合計が１重量％〜５重量％の範囲にするのが好ましい。よって、この範囲になるように、発酵処理物に対する熟成処理場を熟成処理場データベースから抽出するようにしても良い。
【００９７】
また、上記実施形態では、熟成処理場として閉鎖ゴルフ場を採用しているが、熟成処理場は、特に限定されず、適宜変更し得る。
【００９８】
又、上記実施形態では、発酵処理装置１００に、端末装置としての制御通信部２を付設したものとしているが、端末装置２は、発酵処理装置１００と別体のものでも良い。例えば携帯電話、携帯情報端末、パーソナルコンピュータであっても良い。
【００９９】
また、上記実施形態では、発酵処理物に含まれる肥料成分データを、その都度、肥料成分検出手段によって検出し、その検出した肥料成分データを、サーバコンピュータ１が発酵処理装置１００の端末装置としての制御通信部２からその都度受信し、その受信した肥料成分データに基いて、発酵処理物に適合する熟成処理場を抽出するようにしているが、この形態のものに限らず、適宜変更できる。
【０１００】
例えば各発酵処理装置によって発酵処理される発酵処理物の肥料成分データを、例えば予め発酵処理装置により発酵処理された発酵処理物から取得した基礎肥料成分データに基いて生成したものを用いて、各発酵処理装置と関連付けて発酵処理装置データベース１１ａに記録しておく。そして、端末装置からの問い合わせ情報をサーバコンピュータ１が受信すると、サーバコンピュータ１が、受信した発酵処理装置に対応する発酵処理装置データベース１１ａの肥料成分データと、熟成処理場データベースに記録した熟成処理場の土質データとに基いて、各発酵処理装置の発酵処理物に適合した熟成処理場を熟成処理場データベースから抽出するようにしても良い。従って、特許請求の範囲の「肥料成分データを実質的に含む問い合わせ情報を送信」とは、端末装置が実際に肥料成分データをサーバコンピュータ１に送信する場合の他、端末装置が、例えば発酵処理装置を特定した発酵処理装置特定情報を含む問い合わせ情報をサーバコンピュータ１に送信すれば、サーバコンピュータ１が予め保有している肥料成分データから該当するものを抽出して実質的に肥料成分データを、端末装置から受信したデータから得る形態のものを含む。
【０１０１】
又、上記実施形態では、端末装置からの問い合わせ情報の受信に応じて、各発酵処理装置の発酵処理物に適合した熟成処理場を熟成処理場データベースから抽出するようにしているが、例えば一定期間ごとに自動的に、或いは求めに応じて、サーバコンピュータ１に、発酵処理装置データベース１１ａに記録した各発酵処理装置の肥料成分データと熟成処理場データベースに記録した熟成処理場の土質データとに基いて、各発酵処理装置の発酵処理物に適合した熟成処理場を熟成処理場データベースから抽出させる。そして、その抽出した各発酵処理装置の発酵処理物に対する熟成処理場のデータを印刷等して回収者に直接又は間接的に指示するようにしても良い。
【０１０２】
又、上記実施形態では、サーバコンピュータ１が肥料成分データと土質データとに基いて発酵処理物に適合した熟成処理場を複数、抽出した場合に、回収者の判断によって、その中から発酵処理装置に最も距離の近い熟成処理場を選択するようにしているが、この形態のものに限らず、適宜変更できる。例えばサーバコンピュータ１に、地図データベースを備えたものとするとともに、距離適合熟成処理場抽出手段を備えたものにする。そして、肥料成分データと土質データとに基いて発酵処理物に適合した熟成処理場を複数、抽出した場合に、サーバコンピュータ１が地図データベースに基いて発酵処理装置と抽出した各熟成処理場との距離データを算出し、距離適合熟成処理場抽出手段によって、算出した距離データの内、最も数値の小さいものを抽出するようにしても良い。
【０１０３】
また、サーバコンピュータ１が肥料成分データと土質データとに基いて発酵処理物に適合した熟成処理場を複数、抽出した場合に、距離の近い熟成処理場を選択する形態のものに限らず適宜変更でき、例えば発酵処理物を受け入れる時期に応じて、予め定めた特定の熟成処理場を優先的に抽出するようにしても良い。
【０１０４】
例えばサーバコンピュータ１の発酵処理場データベースに、図１３に示すように熟成処理場が発酵処理物を受け入れるのに適した受け入れ適合時期データとしての受け入れ適合月のデータを、各熟成処理場と関連付けて記録している。この受け入れ適合月は、例えば各熟成処理場で花を開花させる予定の開花月を各熟成処理場ごとに設定し、その設定した開花月から、発酵処理物の熟成期間及び種蒔き（球根又は苗の植付け）から開花までの育成期間を差し引いて逆算した月である。具体的には、例えばゴルフ場ＩＤ０００１のゴルフ場で、特定の花を４月に開花させるように設定した場合、発酵処理物の熟成期間として予め設定した３ケ月及び種蒔きから開花までの育成期間として予め設定した５ケ月を差し引いて前年の８月を算出し、その８月を受け入れ適合月として設定している。
【０１０５】
そして、例えば発酵処理装置１００から問い合わせ情報が８月にあった場合、サーバコンピュータ１は、まず、問い合わせ情報に含まれる肥料成分データと、熟成処理場データベース１１ｂの土質データとに基いて発酵処理物に肥料成分的に適合した熟成処理場を抽出する。
【０１０６】
そして、その抽出した熟成処理場が複数あった場合、例えばゴルフ場ＩＤ０００１とゴルフ場ＩＤ０００２とゴルフ場ＩＤ００１０との三つを抽出した場合、その問い合わせ情報を受信した８月に該当する受け入れ適合月に対応するゴルフ場ＩＤ０００１の閉鎖ゴルフ場を発酵処理場データベースから抽出する。このようにして、熟成処理場としての閉鎖ゴルフ場を抽出することにより、予め設定した特定の花の開花時期に適合した閉鎖ゴルフ場を抽出できる。これにより、閉鎖ゴルフ場を、花の開花時期に合わせて花育成用地にでき、効率的に利用することも可能になる。
【０１０７】
尚、この場合の受け入れ適合時期は、月単位の１２カ月から構成する形態のものに限らず、例えば「春」、「夏」、「秋」、「冬」の四季から構成し、又は、適宜な設定した期間から構成したものであっても良く、適宜変更し得る。
【０１０８】
又、この実施形態においては、ハードディスクにインストールされた本システムのプログラムを実行するようにしているが、プログラムの保持形態はこれらに限定されるものではない。たとえば、本システムのプログラムを、ＣＤ−ＲＯＭ、フレキシブルディスク、磁気テープ等に記録するようにしてもよい。
【０１０９】
さらに、有線や無線の通信回線を介して本システムのプログラムを配信するようにしてもよい。また、本システムのプログラムをメインのサーバコンピュータにインストールしておき、たとえばインターネットなどの通信回線を介してローカルのサーバコンピュータに本システムのプログラムを実行させるようにしてもよい。
【０１１０】
また、プログラムやデータの記録態様は特に限定されるものではない。直接実行できる形で記録媒体に記録されている場合の他、たとえば、解凍して使用するように圧縮された形で記録媒体に記録されていてもよい。
【０１１１】
又、上述の実施形態においては、コンピュータを用いて図１の各機能を実現する場合を例に説明したが、図１の機能の一部をハードウェアロジックを用いて構成するようにしてもよい。
【図面の簡単な説明】
【図１】この発明の一実施の形態の有機廃棄物処理支援装置を有する有機廃棄物処理支援システムの構成を説明するためのブロック図である。
【図２】図１に示す一実施の形態の有機廃棄物処理支援システムに用いられるサーバコンピュータ、発酵処理装置の制御通信部のハードウェア構成の一例を示すブロック図である。
【図３】有機廃棄物処理支援システムにおける処理の流れを示すフローチャートの一部である。
【図４】有機廃棄物処理支援システムにおける処理の流れを示すフローチャートの他の一部である。
【図５】有機廃棄物処理支援システムに用いる発酵処理装置の断面説明図である。
【図６】発酵処理装置の制御通信部の液晶表示部に表示されるデータ表示画面の一例である。
【図７】発酵処理装置の制御通信部の液晶表示部に表示される適合熟成処理場表示画面の一例である。
【図８】熟成処理場データベースのデータ構造を模式的に表わした図面の一部である。
【図９】熟成処理場データベースのデータ構造を模式的に表わした図面の他の一部である。
【図１０】肥料成分評価データベースのデータ構造を模式的に表わした図面である。
【図１１】評価対応データベースのデータ構造を模式的に表わした図面である。
【図１２】発酵処理装置データベースのデータ構造を模式的に表わした図面である。
【図１３】他の実施形態の熟成処理場データベースのデータ構造を模式的に表わした図面の一部である。
【符号の説明】
１・・・・・・サーバコンピュータ
２・・・・・・制御通信部
１１ａ・・・・発酵処理装置データベース
１１ｂ・・・・熟成処理場データベース
１１ｃ・・・・肥料成分評価データベース
１１ｄ・・・・評価対応データベース
１４・・・・・肥料成分評価生成手段
１５・・・・・適合熟成処理場抽出手段
１００・・・・発酵処理装置
１０１・・・・装置本体部
１０２・・・・発酵処理槽
【図１】
2004305932.tif 000003
【図２】
2004305932.tif 000004
【図３】
2004305932.tif 000005
【図４】
2004305932.tif 000006
【図５】
2004305932.tif 000007
【図６】
2004305932.tif 000008
【図７】
2004305932.tif 000009
【図８】
2004305932.tif 000010
【図９】
2004305932.tif 000011
【図１０】
2004305932.tif 000012
【図１１】
2004305932.tif 000013
【図１２】
2004305932.tif 000014
【図１３】
2004305932.tif 000015